(57)【要約】【課題】  中央部が撓み易い長方形の容器の剛性を確保して、蓋部材の容器本体への係着が容易で、係着後にも離脱しにくいプラスチック容器を提供することを目的とする。【解決手段】  長方形の箱状プラスチック容器における容器本体１０の上部開口の周縁に沿って曲折形成された周縁リブ１１、１２と、該周縁リブ１１、１２に整合して嵌合する周縁リブ２１、２２が周縁に沿って曲折形成された蓋部材２０とから構成されたプラスチック容器において、これら容器本体１０および蓋部材２０における長辺周縁リブ１１、２１の略中央に平面視で凹部１３、２３を形成したことにより、本来撓み易い長方形の箱状容器の中央部近傍の剛性を確保できるので、薄肉で軽量に構成されたプラスチック容器であっても、容器本体１０と蓋部材２０に形成された周縁リブ１１、１２と２１、２２同士の係着が円滑に行える。【選択図】  図１
2006264717.tif 000002
【特許請求の範囲】
【請求項１】
長方形の箱状容器本体と該容器本体に整合して閉じられる蓋部材とから構成される薄板からなるプラスチック容器であって、容器本体の上部開口の周縁に沿って曲折形成された周縁リブと、該周縁リブに整合して嵌合する周縁リブが周縁に沿って曲折形成された蓋部材とから構成されたプラスチック容器において、これら容器本体および蓋部材における長辺周縁リブの略中央に平面視で凹部を形成したことを特徴とするプラスチック容器。
【請求項２】
前記蓋部材における凹部間に渡設して横架中央リブを形成したことを特徴とする請求項１に記載のプラスチック容器。
【請求項３】
前記蓋部材における横架中央リブに対応する容器本体の底部に横架底溝を形成したことを特徴とする請求項２に記載のプラスチック容器。
【請求項４】
容器本体および蓋部材における前記周縁リブの末端を略水平方向に延設してフランジを形成し、前記凹部に位置するフランジに、互いに係止する切欠きと係止爪を形成したことを特徴とする請求項１から３のいずれかに記載のプラスチック容器。
【請求項５】
前記容器本体および蓋部材における前記周縁リブに、蓋部材が閉じられた際に、互いに係止される係止リブを形成したことを特徴とする請求項１から４のいずれかに記載のプラスチック容器。
【発明の詳細な説明】
【技術分野】
【０００１】
本発明は、長方形の箱状容器本体と該容器本体に整合して閉じられる蓋部材とから構成される薄板からなるプラスチック容器であって、容器本体の上部開口の周縁に沿って曲折形成された周縁リブと、該周縁リブに整合して嵌合する周縁リブが周縁に沿って曲折形成された蓋部材とから構成されたプラスチック容器に関する。
【背景技術】
【０００２】
通常、小物製品等の格納や運搬は、多量の製品をビニール袋等に収納して行っていた。しかしながら、形状保持が困難なビニール袋等では、多段に積層することは困難であり、積層して格納や運搬のための所要スペースを確保するには、これらの多数のビニール袋を収容できる箱状容器を別途必要とした。そのような二重の手間を省くために、ビニール袋に代わるものとして、透明で中身が見えて小物製品を直接収納でき、軽量ながら比較的剛性の高い箱状のプラスチック容器が使用されるようになってきた。そのようなプラスチック容器の典型的な例として卵用パックがある（例えば下記特許文献１参照）。
【特許文献１】特開平１１−７９２６７号公報（請求項１参照）。
【発明の開示】
【発明が解決しようとする課題】
【０００３】
図５を用いて前記特許文献１に開示された卵用パックを説明する。容器状をなし、内部に卵を複数個収納可能な運搬・販売用の卵用パックであって、透明性を備え極薄で可撓性を帯びた樹脂製の蓋部１０８と、自己形状保持性を備えた紙製の底部１０９と、それぞれに形成された係合部１２３、１２４と、を有してなる。係合部１２３、１２４は、蓋中央係合部１２５、底中央係合部１２７、蓋外周係合部１２６、底外周係合部１２８等よりなり、蓋部１０８の側面１１１には、縦の補強リブ１３４が形成され、底部１０９には、各卵間の区画壁１１６が立設されている。
【０００４】
このようなプラスチック容器を使用することにより、多数の卵を効率よく収容したものを多数積層して、格納展示および運搬することが可能となった。しかも、蓋部１０８が透明性を備えることにより、中身が見えて展示機能がよく発揮される。しかしながら、このようなプラスチック容器は、できるだけ収容個数を多くするために、通常、平面視で長方形に構成される。そのため、長辺の中央部近傍が撓み易く、蓋外周係合部１２６と底外周係合部１２８のうち、中央部近傍のものの係着が困難となると同時に、係着後にも離脱し易かった。
【０００５】
そこで本発明は、このような従来のプラスチック容器おける課題を解決して、中央部が撓み易い長方形の容器の剛性を確保して、蓋部材の容器本体への係着が容易で、係着後にも離脱しにくいプラスチック容器を提供することを目的とする。
【課題を解決するための手段】
【０００６】
このため本発明は、長方形の箱状容器本体と該容器本体に整合して閉じられる蓋部材とから構成される薄板からなるプラスチック容器であって、容器本体の上部開口の周縁に沿って曲折形成された周縁リブと、該周縁リブに整合して嵌合する周縁リブが周縁に沿って曲折形成された蓋部材とから構成されたプラスチック容器において、これら容器本体および蓋部材における長辺周縁リブの略中央に平面視で凹部を形成したことを特徴とする。また本発明は、前記蓋部材における凹部間に渡設して横架中央リブを形成したことを特徴とする。また本発明は、前記蓋部材における横架中央リブに対応する容器本体の底部に横架中央底溝を形成したことを特徴とする。また本発明は、容器本体および蓋部材における前記周縁リブの末端を略水平方向に延設してフランジを形成し、前記凹部に位置するフランジに、互いに係止する切欠きと係止爪を形成したことを特徴とする。また本発明は、前記容器本体および蓋部材における前記周縁リブに、蓋部材が閉じられた際に、互いに係止される係止リブを形成したことを特徴とするもので、これらを課題解決のための手段とする。
【発明の効果】
【０００７】
本発明によれば、長方形の箱状容器本体と該容器本体に整合して閉じられる蓋部材とから構成される薄板からなるプラスチック容器であって、容器本体の上部開口の周縁に沿って曲折形成された周縁リブと、該周縁リブに整合して嵌合する周縁リブが周縁に沿って曲折形成された蓋部材とから構成されたプラスチック容器において、これら容器本体および蓋部材における長辺周縁リブの略中央に平面視で凹部を形成したことにより、本来撓み易い長方形の箱状容器の中央部近傍の剛性を確保できるので、薄肉で軽量に構成されたプラスチック容器であっても、容器本体と蓋部材に形成された周縁リブ同士の係着が円滑に行える。
【０００８】
また、前記蓋部材における凹部間に渡設して横架中央リブを形成した場合は、さらに長方形の箱状容器における長辺の中央部近傍の剛性が向上して、殆ど側方に撓むことがなくなる。さらに、前記蓋部材における横架中央リブに対応する容器本体の底部に横架中央底溝を形成した場合は、蓋部材を係着した容器本体を積層するに際して、蓋部材における横架中央リブに対して、容器本体の底部の横架中央底溝を嵌合させることができ、位置ずれを引きおこすことなく、高い剛性を保持したまま、容器を多段に積層することが可能となる。
【０００９】
さらにまた、容器本体および蓋部材における前記周縁リブの末端を略水平方向に延設してフランジを形成し、前記凹部に位置するフランジに、互いに係止する切欠きと係止爪を形成した場合は、高い剛性が保持されて撓むことのない凹部近傍にて、蓋部材におけるフランジの係止爪と容器本体におけるフランジの切欠きとが円滑に係止されるとともに、一旦係止されると妄りに外れることがない。また、前記容器本体および蓋部材における前記周縁リブに、蓋部材が閉じられた際に、互いに係止される係止リブを形成した場合は、長辺部の撓みを少なくしたことで全体として高い剛性が確保された箱状容器における、蓋部材および容器本体の周縁リブ同士の係着がより確実となる。
【発明を実施するための最良の形態】
【００１０】
以下、本発明のプラスチック容器の実施例を図面に基づいて説明する。図１から図４は本発明のプラスチック容器の１つの実施例を示すもので、図１はプラスチック容器の全体斜視図、図２は容器本体の平面および正面図、図３は蓋部材の平面および正面図、図４は容器本体と蓋部材の周縁リブ同士の係止状態を示す断面および斜視図である。
【００１１】
本発明のプラスチック容器の基本的な構成は、図１に示すように、長方形の箱状容器本体１０と該容器本体１０に整合して閉じられる蓋部材２０とから構成される薄板からなるプラスチック容器であって、容器本体１０の上部開口の周縁に沿って曲折形成された周縁リブ２１、２２と、該周縁リブ２１、２２に整合して嵌合する周縁リブ１１、１２が周縁に沿って曲折形成された蓋部材２０とから構成されたプラスチック容器において、これら容器本体１０および蓋部材２０における長辺周縁リブ１１および２１の略中央に平面視で凹部１３および２３を形成したことを特徴とする。
【００１２】
図１に示すように、本発明のプラスチック容器は、透明（必ずしも透明でなくてもよい）で薄肉のプラスチックを一体成形して形成した容器本体１０と蓋部材２０とから構成される。容器本体１０は、長方形の箱状の容器本体の上部開口の周縁に沿って周縁リブ１１、１２が曲折形成される。短辺に形成されるのが短辺周縁リブ１２で、長辺に形成されるのが長辺周縁リブ１１である。これらの周縁リブ１１、１２の末端を略水平方向に延設してフランジ１５が形成される。容器本体１０の容器部を構成する側壁や底部には適宜の補強リブが形成される。
【００１３】
一方、前記容器本体１０の上部開口部に形成された周縁リブ１１、１２に整合して嵌合・係着する周縁リブ２１、２２が蓋部材２０の周縁に沿って曲折形成される。蓋部材２０のこれらの周縁リブ２１、２２の末端も略水平方向に延設されてフランジ３０が形成される。蓋部材２０における両側の長辺周縁リブ２１間には横架リブ２５、２６が渡設される。これらの横架リブ２５、２６と短辺周縁リブ２２との間には低位縦リブ２７、２８が形成される。一方の横架リブ２６の中央部よりには十文字形の十字低位リブ２９が形成される。
【００１４】
本発明の最も特徴的な構成は、容器本体１０と蓋部材２０の両側における長辺周縁リブ１１、１１および２１、２１の略中央に平面視で凹部１３および２３を形成したことである。容器本体１０では、それに基づいて側壁部分にも凹部が形成される。これにより、水平面周りでの耐モーメント性能が向上し、特に長辺周縁リブ１１および２１の中央部近傍での撓みが殆どなくなる。蓋部材２０における凹部２３、２３間には横架中央リブ２４が形成される。この横架中央リブ２４が形成されたことにより、さらに凹部２３近傍の剛性が向上する。
【００１５】
容器本体１０における前記凹部１３に位置するフランジ１５に切欠き１６を設けるとともに、蓋部材２０における前記凹部２３に位置するフランジ３０には、前記切欠き１６に対応する位置に係止爪３１が形成される。かくして、高い剛性が保持されて撓むことのない凹部１３、２３近傍にて、蓋部材２０におけるフランジの係止爪３１と容器本体１０におけるフランジの切欠き１６とが円滑に係止されるとともに、一旦係止されると妄りに外れることがない。
【００１６】
容器本体１０の底部には、前記蓋部材２０における横架中央リブ２４に対応する位置に横架中央底溝１４が形成される。蓋部材２０を嵌合・係着した容器本体１０を積層するに際して、蓋部材２０における横架中央リブ２４に対して、容器本体１０の底部の横架中央底溝１４を嵌合させることができ、位置ずれを引きおこすことなく、高い剛性を保持したまま、容器を多段に積層することが可能となる上、容器本体１０の底部自体の剛性をも向上させることができる。
【００１７】
図２は容器本体の平面および正面図である。図２（Ａ）に示すように、前記蓋部材２０における周縁リブ２１、２２が嵌合・係着されるところの、容器本体１０における周縁リブ１１、１２の内周側には、いくつかの係止リブ１８が形成される。これらの係止リブ１８は、周縁リブ１１、１２の内周側から該周縁リブ内部側に突出させて形成される。図２（Ａ）のＡ−Ａ断面である図４（Ａ）にて明瞭に分かるように、周縁リブの内周側から見れば凹んでいる。中央部よりの２対の係止リブ１８は凹部１３の端部に形成され、短辺周縁リブ１２近傍の係止リブ１８は、長辺周縁リブ１１と短辺周縁リブ１２との境界部に形成される。なお、容器本体１０の底部には、前記横架中央底溝１４の他に、短辺周縁リブ１２寄りに横架底溝１７、１９が形成され、前記蓋部材２０における横架リブ２５、２６を受け入れて積層の位置決めに供される。
【００１８】
図３は蓋部材の平面および正面図である。図３（Ａ）に示すように、前記容器本体１０における周縁リブ１１、１２に嵌合・係着されるところの、周縁リブ２１、２２の内周側には、いくつかの係止リブ３３が形成される。これらの係止リブ３３は、周縁リブ２１、２２の内周側から該周縁リブ内部側に突出させて形成される。図３（Ａ）のＡ−Ａ断面である図４（Ａ）にて明瞭に分かるように、周縁リブの内周側から見れば凹んでいる。中央部よりの２対の係止リブ３３は凹部２３の端部に形成され、短辺周縁リブ２２近傍の係止リブ３３は、長辺周縁リブ２１と短辺周縁リブ２２との境界部に形成される。
【００１９】
図４は容器本体と蓋部材の周縁リブ同士の係止状態を示す断面および斜視図である。図４（Ｂ）は、容器本体１０の周縁リブ１１と蓋部材２０の周縁リブ２１とが嵌合・係着される前の状態を示し、図４（Ａ）は周縁リブ１１と周縁リブ２１とが嵌合・係着された状態を示すものであり、周縁リブ１１に周縁リブ２１が嵌合・係着されることによって、周縁リブ１１の係止リブ１８に対して周縁リブ２１の係止リブ３３が係止される。これによって、周縁リブ１１への周縁リブ２１の嵌合・係着に加えて、係止リブ１８への係止リブ３３の係止によって、蓋部材２０が閉じられた際に、長辺部の撓みを少なくしたことで全体として高い剛性が確保された箱状容器における、蓋部材および容器本体の周縁リブ同士の係着がより確実となる。
【００２０】
以上、本発明の実施例について説明してきたが、本発明の趣旨の範囲内で、長方形の箱状容器本体の形状（方形のみならず、長円形でもよい。容器本体の長さに対する深さの比率、型抜き性を向上させるために底部隅部を傾斜させたり、側壁および底部に形成される適宜形状および数の補強リブの形成等）、形式およびプラスチックとしての材質、蓋部材の形状、容器本体および蓋部材における周縁リブの形状（ハット型の断面形状、好適には嵌合・係着のためにやや下開き形状とされる。平面視形状、好適には隅部がカットされた形状とされる）、凹部の形状（好適には台形に形成されるが、円弧状や矩形等適宜の形状とされる）、蓋部材における横架中央リブや横架リブの断面形状、好適には積層のためにやや下開き形状とされる）、容器本体における横架中央底溝および横架底溝の断面形状（好適には、積層のためにやや下開き形状とされる）、容器本体および蓋部材におけるフランジの形状（必ずしも水平でなくてもよい。また、蓋部材のフランジをやや延設して蓋部材の取り外しのために、把持し易くしてもよい）、容器本体と蓋部材におけるフランジ部材の切欠きと係止爪の形状（クローバの葉の形状の他、適宜の形状が採用され得る）、形式（切欠きと係止爪を、容器本体と蓋部材のいずれの側に形成してもよい）、容器本体と蓋部材における周縁リブの係止リブの形状（係止可能なら、凹凸方向は適宜選定できる）、係止形態等については適宜選定することができる。
【図面の簡単な説明】
【００２１】
【図１】本発明のプラスチック容器の１つの実施例を示すもので、プラスチック容器の全体斜視図である。
【図２】同、容器本体の平面および正面図である。
【図３】同、蓋部材の平面および正面図である。
【図４】同、容器本体と蓋部材の周縁リブ同士の係止状態を示す断面および斜視図である。
【図５】従来のプラスチック容器としての卵用パックの全体斜視図である。
【符号の説明】
【００２２】
１０        容器本体
１１        長辺周縁リブ
１２        短辺周縁リブ
１３        凹部
１４        横架中央底溝
１５        フランジ
１６        切欠き
１８        係止リブ
２０        蓋部材
２１        長辺周縁リブ
２２        短辺周縁リブ
２３        凹部
２４        横架中央リブ
３０        蓋フランジ
３１        係止爪
３３        係止蓋リブ
【図１】
2006264717.tif 000003
【図２】
2006264717.tif 000004
【図３】
2006264717.tif 000005
【図４】
2006264717.tif 000006
【図５】
2006264717.tif 000007